(57)【特許請求の範囲】
【請求項１】
プレイヤーの押下を許容する少なくとも１つの押しボタンと、
該押しボタンの押下に対する信号を出力する基板と、
該基板に載置して前記押しボタンを出没可能に弾性支持する押下部材と、
前記各部材を収容するスイッチケースとで構成した押しボタンスイッチであって、
前記押しボタンの出没可能な開口部を有するとともに、前記スイッチケースに嵌合固定するボタンカバーと、
前記基板を収容して保持するとともに、前記スイッチケースに嵌合する嵌合爪部を有する基板取付部材とを備え、
前記スイッチケースを、
前記プレイヤーと対面するとともに、前記ボタンカバーの挿入を許容する開口を有する略環状のケース平面部と、
該ケース平面部の開口における縁端から延設した略筒状のケース胴部とで一体構成し、
前記スイッチケースの前記ケース胴部に、
前記押下部材及び前記押しボタンの出没をガイドする出没ガイド部と、外周面から外側に向けて形成するとともに、前記ボタンカバーと嵌合するカバー嵌合爪部と、
前記基板取付部材の嵌合爪部と嵌合する嵌合部とを備え、
前記ボタンカバーを、
前記開口部を有する対表面部と、
該対表面部から延設するとともに、前記カバー嵌合爪部に外側から嵌合する嵌合脚部とで構成し、
前記スイッチケースの前記ケース平面部に、
前記ケース胴部の前記カバー嵌合爪部と対向するとともに、前記ボタンカバーの前記嵌合脚部の挿通を許容する挿入開口部を開口形成した
押しボタンスイッチ。
【請求項２】
前記押しボタンの基板側外周縁に、
外側に向けて前記ボタンカバーの前記開口部より大きい鍔部を形成した
請求項１に記載の押しボタンスイッチ。
【請求項３】
前記対表面部を、
平面視において外周縁に曲線部を有する形状に形成し、
前記嵌合脚部を、前記曲線部に形成した
請求項１または２に記載の押しボタンスイッチ。
【請求項４】
前記スイッチケースの外周面に、
前記押しボタンの押下方向で前記スイッチケースと螺合するナット部材を備えた
請求項１から３のいずれか１つに記載の押しボタンスイッチ。
【請求項５】
プレイヤーの押下を許容する少なくとも１つの押しボタンと、該押しボタンの押下に対する信号を出力する基板と、該基板に載置して前記押しボタンを出没可能に弾性支持する押下部材とをスイッチケースに収容して組付けた押しボタンスイッチの組付け方法であって、
前記スイッチケースに嵌合する嵌合爪部を有する基板取付部材に、前記基板を収容保持し、
前記押下部材を、前記基板に載置したのち、
前記プレイヤーと対面する略環状のケース平面部と、該ケース平面部の開口における縁端から延設した略筒状のケース胴部とで一体構成した前記スイッチケースにおける前記ケース胴部の出没ガイド部に、前記基板に装着した前記押下部材を出没可能に挿入しながら、
前記ケース胴部の嵌合部に、前記基板取付部材の嵌合爪部を嵌合し、
前記ケース胴部の出没ガイド部に、前記ケース平面部の開口から前記押しボタンを出没可能に挿入したのち、
前記押しボタンの出没可能な開口部を有する対表面部と、該対表面部から延設した嵌合脚部とで構成したボタンカバーにおける前記開口部に、前記押しボタンを挿入しながら、
前記ケース平面部に開口形成した挿入開口部に、前記ボタンカバーの前記嵌合脚部を挿入し、
前記ケース胴部のカバー嵌合爪部に、前記嵌合脚部を外側から嵌合して組付ける
押しボタンスイッチの組付け方法。
【発明の詳細な説明】
【技術分野】
【０００１】
この発明は、例えば遊技機においてプレイヤーの各種選択入力を受け付ける十字ボタンスイッチのような押しボタンスイッチに関する。
【背景技術】
【０００２】
従来、各種遊技機において、娯楽性を高めるため様々な演出が施されているが、これら演出は、遊技の進行に応じて自動的に発生していた。昨今では、これら演出にもプレイヤーの選択操作や決定操作を受け付けることで、各種遊技機の娯楽性をより向上させている。
【０００３】
このようなプレイヤーの各種選択入力を受け付ける手段の一つとして、様々な形状の押しボタンスイッチがある。プレイヤーは、これら押しボタンスイッチの押しボタンを押下することで、演出の選択や決定などを行うことができる。このような押しボタンスイッチとして、特許文献１のような構造が提案されている。
【０００４】
特許文献１に記載の押しボタンスイッチでは、スイッチケース（特許文献１におけるケース）に押しボタンや基板を収容して、スイッチケースの底面からネジにて固定して組付けている。
【０００５】
ところで、このような押しボタンスイッチに対して、誤作動などを狙ったプレイヤーによる操作、あるいは工具などを用いた悪戯行為が少なからず問題となっている。例えば、特許文献１のような押しボタンスイッチでは、各部材の組付けに用いるネジに螺合する部材が樹脂部材であることが多い。さらに、ネジが非常に小さくネジ山のピッチが狭いので、押しボタンに大きな荷重が加わるとネジ山や樹脂部材が破損し易い構造である。
【０００６】
このため、悪意を持ったプレイヤーが押しボタンを必要以上の荷重で押下すると、その荷重にネジ山が耐え切れず樹脂部材が破損し、最終的に押しボタンスイッチが分解することがある。
【先行技術文献】
【特許文献】
【０００７】
【特許文献１】特開２０１０−１６６９３７号公報
【発明の概要】
【発明が解決しようとする課題】
【０００８】
本発明は、上述の問題に鑑み、プレイヤーによる悪戯行為に対してより堅固な押しボタンスイッチ、及び押しボタンスイッチの組付け方法を提供することを目的とする。
【課題を解決するための手段】
【０００９】
この発明は、プレイヤーの押下を許容する少なくとも１つの押しボタンと、該押しボタンの押下に対する信号を出力する基板と、該基板に載置して前記押しボタンを出没可能に弾性支持する押下部材と、前記各部材を収容するスイッチケースとで構成した押しボタンスイッチであって、前記押しボタンの出没可能な開口部を有するとともに、前記スイッチケースに嵌合固定するボタンカバーと、前記基板を収容して保持するとともに、前記スイッチケースに嵌合する嵌合爪部を有する基板取付部材とを備え、前記スイッチケースを、前記プレイヤーと対面するとともに、前記ボタンカバーの挿入を許容する開口を有する略環状のケース平面部と、該ケース平面部の開口における縁端から延設した略筒状のケース胴部とで一体構成し、前記スイッチケースの前記ケース胴部に、前記押下部材及び前記押しボタンの出没をガイドする出没ガイド部と、外周面から外側に向けて形成するとともに、前記ボタンカバーと嵌合するカバー嵌合爪部と、前記基板取付部材の嵌合爪部と嵌合する嵌合部とを備え、前記ボタンカバーを、前記開口部を有する対表面部と、該対表面部から延設するとともに、前記カバー嵌合爪部に外側から嵌合する嵌合脚部とで構成し、前記スイッチケースの前記ケース平面部に、前記ケース胴部の前記カバー嵌合爪部と対向するとともに、前記ボタンカバーの前記嵌合脚部の挿通を許容する挿入開口部を開口形成したことを特徴とする。  
上記押下部材は、絶縁性を有するゴム系素材、あるいは絶縁性を有する軟質樹脂素材などとすることができる。
【００１０】
この発明により、プレイヤーによる悪戯行為に対してより堅固な押しボタンスイッチを構成することができる。
【００１１】
具体的には、基板取付部材に嵌合爪部を備え、スイッチケースに嵌合部を備えたことにより、スイッチケースに基板取付部材を挿入して嵌合固定することができる。これにより、押しボタンの押下方向に加わる押下荷重に対して、嵌合爪部が嵌合部にしっかりと噛合って嵌合を維持することができる。つまり、押下荷重によって、基板取付部材がスイッチケースから容易に抜け落ちることを防止できる。
【００１２】
すなわち、基板取付部材とスイッチケースとを嵌合固定することにより、押しボタンの押下方向にかかる押下荷重に対して、押しボタンスイッチは、小さいネジで組付ける場合に比べて、より破損あるいは分解し難い堅固な構造とすることができる。
【００１３】
また、基板は、基板取付部材の所定の位置に組付けることができる。そして、基板に載置した押下部材をスイッチケースの出没ガイド部に挿入することで、押下部材は、スイッチケースに対して適切な位置及び向きで組付けることができる。さらに、基板取付部材とスイッチケースとが嵌合することで、押下部材と基板とを適切な位置及び向きで組付けることができる。
【００１４】
すなわち、押しボタンスイッチに押下部材や基板を組付ける際、それぞれの取付け位置を決める位置決め孔のような特別な開口を設けることなく、適切な位置及び向きで組付けることができる。これにより、プレイヤーによる電気的な悪戯によって、押しボタンスイッチ内に侵入した電気が、位置決め孔のような開口を介して直線的に基板に到達することを防止することができる。さらに、押下部材は、位置決め孔のような開口を設けていないので、押下に対する耐久性を向上させることができる。
【００１５】
従って、スイッチケースと基板取付部材とを嵌合固定するとともに、位置決め孔のような特別な開口を不要にしたことにより、押しボタンスイッチは、プレイヤーによる悪戯行為に対してより堅固な構造とすることができる。
【００１６】
さらに、対表面部側からボタンカバーの取外しを困難にすることができる。 
具体的には、対表面部側からボタンカバーを取外す場合、スイッチケースのプレイヤーと対面する部分とボタンカバーとの隙間から工具を挿入して嵌合を解除しながら、ボタンカバーを引抜くこととなる。
【００１７】
ところが、スイッチケースの外側に向けて形成したカバー嵌合爪部に、ボタンカバーの嵌合脚部を付勢力によって外側から嵌合したことにより、スイッチケースとボタンカバーとの限られた隙間から、嵌合脚部を外側に開いて嵌合を解除しながら引抜くことを困難にすることができる。
【００１８】
従って、スイッチケースのカバー嵌合爪部に、ボタンカバーの嵌合脚部を付勢力によって外側から嵌合することにより、対表面部側からボタンカバーの取外しを困難にすることができ、押しボタンスイッチは、プレイヤーによる悪戯行為に対してより堅固な構造とすることができる。
【００１９】
この発明の態様として、前記押しボタンの基板側外周縁に、外側に向けて前記ボタンカバーの前記開口部より大きい鍔部を形成することができる。
【００２０】
この発明により、押しボタンとボタンカバーとの隙間に細い工具などを差し込まれた際、押しボタンの鍔部によって、工具の侵入を阻止することができる。これにより、押しボタンに工具などを引っ掛けて押しボタンスイッチを破損させる、あるいは基板にアクセスして電気的な悪戯行為を行うことを防止できる。
【００２１】
また、押しボタンに鍔部を設けたことにより、押しボタンは、スイッチケースのプレイヤーと対面する側から出没ガイド部に挿入することとなる。すなわち、押しボタンが押下されると、スイッチケースの出没ガイド部に鍔部が当接することで、押しボタンが必要以上に押し込まれることを防止できる。
【００２２】
これにより、プレイヤーが押しボタンに必要以上の押下荷重を加えても、押下荷重を押しボタンから出没ガイド部を介してスイッチケースに伝達、分散させることができる。
【００２３】
つまり、基板取付部材には押下荷重が加わり難くなるため、押下荷重による押しボタンスイッチの破損、分解を防止することができる。さらに、押下部材を介して基板に必要以上の押下荷重が加わることを阻止して、基板の破損などを防止することができる。
【００２４】
従って、押しボタンに鍔部を形成したことにより、工具などの侵入を阻止するとともに、押下荷重をスイッチケースに伝達、分散することできるので、押しボタンスイッチは、プレイヤーによる悪戯行為に対してより堅固な構造とすることができる。
【００２５】
また、この発明の態様として、前記対表面部を、平面視において外周縁に曲線部を有する形状に形成し、前記嵌合脚部を、前記曲線部に形成することができる。  
上記曲線部を有する対表面部は、平面視において略円状の形状、略楕円状の形状、あるいは略俵状の形状などとすることができる。
【００２６】
この発明により、対表面部側からボタンカバーの取外しをより困難にすることができる。  
具体的には、嵌合脚部をボタンカバーの曲線部に形成したことにより、ボタンカバーの直線的な外周縁に嵌合脚部を形成した場合に比べて、嵌合脚部に対して工具などの引掛け代を小さく、かつ力を加え難くすることができる。すなわち、曲線部に形成したボタンカバーの嵌合脚部にアクセスして嵌合を解除することを困難にできる。
【００２７】
従って、嵌合脚部を対表面部の曲線部に形成することにより、嵌合脚部へのアクセスを困難にすることができ、押しボタンスイッチは、プレイヤーによる悪戯行為に対してより堅固な構造とすることができる。
【００２８】
また、この発明の態様として、前記スイッチケースの外周面に、前記押しボタンの押下方向で前記スイッチケースと螺合するナット部材を備えることができる。
【００２９】
この発明により、押しボタンスイッチを取付ける筐体に対して、スイッチケースをナット部材で固定することができる。さらに、スイッチケース及びナット部材のネジ山ピッチを広く確保して形成することができるので、押しボタンスイッチ全体に押下荷重を加えても容易に破損することなく、押しボタンスイッチが筐体から容易に抜け落ちることを防止できる。
【００３０】
従って、ナット部材を備えたことにより、押下荷重に対して、筐体への取付け強度の向上を図ることができ、押しボタンスイッチは、プレイヤーによる悪戯行為に対してより堅固な構造とすることができる。
【００３１】
また、この発明は、プレイヤーの押下を許容する少なくとも１つの押しボタンと、該押しボタンの押下に対する信号を出力する基板と、該基板に載置して前記押しボタンを出没可能に弾性支持する押下部材とをスイッチケースに収容して組付けた押しボタンスイッチの組付け方法であって、前記スイッチケースに嵌合する嵌合爪部を有する基板取付部材に、前記基板を収容保持し、前記押下部材を、前記基板に載置したのち、前記プレイヤーと対面する略環状のケース平面部と、該ケース平面部の開口における縁端から延設した略筒状のケース胴部とで一体構成した前記スイッチケースにおける前記ケース胴部の出没ガイド部に、前記基板に装着した前記押下部材を出没可能に挿入しながら、前記ケース胴部の嵌合部に、前記基板取付部材の嵌合爪部を嵌合し、前記ケース胴部の出没ガイド部に、前記ケース平面部の開口から前記押しボタンを出没可能に挿入したのち、前記押しボタンの出没可能な開口部を有する対表面部と、該対表面部から延設した嵌合脚部とで構成したボタンカバーにおける前記開口部に、前記押しボタンを挿入しながら、前記ケース平面部に開口形成した挿入開口部に、前記ボタンカバーの前記嵌合脚部を挿入し、前記ケース胴部のカバー嵌合爪部に、前記嵌合脚部を外側から嵌合して組付けることを特徴とする。
【００３２】
この発明により、プレイヤーによる悪戯行為に対してより堅固な押しボタンスイッチの組付け方法を提供することができる。
【発明の効果】
【００３３】
本発明により、プレイヤーによる悪戯行為に対してより堅固な押しボタンスイッチ、及び押しボタンスイッチの組付け方法を提供することができる。
【図面の簡単な説明】
【００３４】
【図１】パチンコ遊技機の盤面表側の外観を示す外観斜視図。
【図２】十字ボタンスイッチの外観を示す外観斜視図。
【図３】十字ボタンスイッチの正面を示す正面図。
【図４】十字ボタンスイッチの構成を示す上面側からの分解斜視図。
【図５】十字ボタンスイッチの構成を示す底面側からの分解斜視図。
【図６】十字ボタンスイッチの平面を示す平面図。
【図７】図２中のＡ−Ａ矢視断面図。
【図８】図６中のＢ−Ｂ矢視断面図。
【発明を実施するための形態】
【００３５】
この発明の一実施形態を以下図面と共に説明する。  
本実施形態では、一例として遊技ホールに設置されるパチンコ遊技機１０を用いて説明する。  
なお、図１は、パチンコ遊技機１０の盤面表側の外観斜視図を示している。  
また、本明細書において上面側とは、プレイヤーと対向する方向を示し、底面側もしくは底面方向とは、上面側を示す方向と逆向きの方向を示している。
【００３６】
パチンコ遊技機１０の盤面表側には、図１に示すように、上部に遊技面１が設けられ、その下部に、遊技球を打ち出し用に貯留させる上皿４と、払い出し用に遊技球を貯留させる下皿５とを上下に配設している。下皿５の左部上面には、十字ボタンスイッチ２０を設けている。さらに、パチンコ遊技機１０の右下側には、プレイヤーの回転操作によって遊技球の打撃力を調整させる遊技球発射用の発射ハンドル６を備えている。
【００３７】
また、遊技面１には、発射された遊技球を搬送する搬送レール２と、遊技進行に応じて各種演出画面を表示する演出画面表示部３が設けられている。
【００３８】
このような構成のパチンコ遊技機１０をプレイヤーが遊技利用する際、プレイヤーは、発射ハンドル６を回転操作して遊技球を発射する。この際、パチンコ遊技機１０は、発射ハンドル６の回転量に応じて、盤面裏側の発射装置（図示省略）より遊技球を１球ずつ発射させる。発射された遊技球は、搬送レール２に沿って遊技面１へと供給されて遊技が開始される。
【００３９】
そして、演出画面表示部３には、遊技の進行に応じて各種演出画面が表示される。そして、演出画面表示部３にプレイヤーの選択操作を要求する演出画面が表示されると、遊技利用中のプレイヤーは、十字ボタンスイッチ２０にて選択操作を行う。
【００４０】
このような十字ボタンスイッチ２０について、図２から図８を用いて詳しく説明する。  
なお、図２は十字ボタンスイッチ２０の外観斜視図を示し、図３は十字ボタンスイッチ２０の正面図を示し、図４は十字ボタンスイッチ２０の上面側からの分解斜視図を示し、図５は底面側からの分解斜視図を示し、図６は十字ボタンスイッチ２０の平面図を示し、図７は図２中のＡ−Ａ矢視断面図を示し、図８は図６中のＢ−Ｂ矢視断面図を示している。また、図７及び図８において、パチンコ遊技機１０の下皿５における上面の断面を二点鎖線にて図示している。
【００４１】
十字ボタンスイッチ２０は、図２及び図３に示すように、プレイヤーの操作を受け付けるスイッチ本体２１と、スイッチ本体２１を下皿５に固定するナット９０とで構成している。
【００４２】
具体的には、スイッチ本体２１は、図４及び図５に示すように、ボタンカバー３０、十字ボタン４０、及びスイッチケース５０で構成している。さらに、スイッチケース５０の内部には、押下部材６０、基板７０、及び基板取付部材８０を収容して構成している。
【００４３】
ボタンカバー３０は、プレイヤーと対面する対表面部３１、及びスイッチケース５０に嵌合する４つの嵌合脚部３２で一体に構成している。
【００４４】
対表面部３１は、図６に示すように、平面視において直線部３１ａと曲線部３１ｂとで構成した外周縁を有する略俵状の平板で形成している。さらに、対表面部３１には、図４から図６に示すように、後述する十字ボタン４０に対応する平面視略三角形状に開口した開口部Ｘを四方に配置している。
【００４５】
嵌合脚部３２は、略平板状であって、対表面部３１の曲線部３１ｂから底面方向に向けて形成している。さらに、嵌合脚部３２の底面側端部近傍には、スイッチケース５０（後述するスイッチケース５０のカバー嵌合爪部５６）と嵌合するカバー嵌合開口部３２ａを設けている。
【００４６】
また、十字ボタン４０は、上下左右に独立した４方向ボタンであって、略三角柱状に形成した上ボタン４１、下ボタン４２、左ボタン４３、及び右ボタン４４の４つのボタンで構成している。さらに、各ボタンには、それぞれの底面側外周縁において外側に向けて突設した鍔部４１ａ、４２ａ、４３ａ、及び４４ａを形成している。加えて、各ボタンの底面には、底面方向に延びる略円筒状のボタン軸部４１ｂ、４２ｂ、４３ｂ、及び４４ｂを備えている。
【００４７】
また、スイッチケース５０は、図３から図７に示すように、プレイヤーと対面するケース平面部５１、ケース平面部５１から底面方向に延設したケース胴部５３、及びケースネジ山部５７で一体に構成している。
【００４８】
ケース平面部５１は、平面視略円状の平板であって、略中央にボタンカバー３０の対表面部３１を載置可能な略俵状の開口を有する形状に形成している。さらに、ケース平面部５１の開口縁において、ボタンカバー３０の曲線部３１ｂに対応する位置に、嵌合脚部３２を挿入可能に開口した挿入開口部５２を設けている。
【００４９】
ケース胴部５３は、挿入開口部５２が外周面の外側に位置する大きさの平面視略俵状の筒形状であって、ケース平面部５１の開口縁から底面方向に延設している。さらに、ケース胴部５３の内部には、十字ボタン４０のボタン軸部４１ｂ、４２ｂ、４３ｂ、及び４４ｂが挿入可能な内周径を有する略円筒状のガイド筒部５４を平面視において四方に配置している。
【００５０】
そして、ケース胴部５３の内部には、ボタンカバー３０の対表面部３１と対面して、４つのガイド筒部５４の外周面とケース胴部５３の内周面とを繋ぐように略平板状の内平面部５５を形成している。さらに、内平面部５５の略中央には、図７に示すように、底面方向に向けて形成した略円筒状の形状であって、後述する押下部材６０の支持突部６４の挿入を許容する突部挿入部５９を設けている。
【００５１】
加えて、ケース胴部５３の外周面には、挿入開口部５２から底面側の離間した位置に、ボタンカバー３０の嵌合脚部３２と嵌合する４つのカバー嵌合爪部５６を外側に向けて形成している。
【００５２】
ケースネジ山部５７は、ケース胴部５３から底面方向に延設した略円筒状の形状であって、外周面にナット９０と螺合するネジ山を形成している。さらに、ケースネジ山部５７の外周面における底面側端部近傍には、基板取付部材８０（後述する基板取付部材８０の嵌合爪部８３）と嵌合する２つの嵌合部５８を、径方向において対向する位置に開口している。
【００５３】
また、押下部材６０は、平面対面部６１、側面対面部６２、４つの弾性支持部６３、及び支持突部６４で一体に構成している。なお、押下部材６０は、弾性を有するとともに、絶縁性を有するゴム系素材で形成されているものとする。さらに、押下部材６０は、弾性の反発力により十字ボタン４０をガイド筒部５４に沿って出没させるとともに、後述する基板７０と後述する押下部材６０の接触端子部６３ａが接触することで通電を確立させる機能を有している。
【００５４】
平面対面部６１は、スイッチケース５０の内平面部５５と対面するとともに、基板７０（後述する基板７０の基板本体７１）を覆う大きさの平面視略円状に形成している。  
側面対面部６２は、平面対面部６１の外周縁から底面方向に向けて形成した略円筒状の形状に形成している。
【００５５】
弾性支持部６３は、略円柱状の形状であって、平面対面部６１上においてスイッチケース５０のガイド筒部５４と対応するように四方に配置している。さらに、各弾性支持部６３の底面側底部には、導電性を有する接触端子部６３ａを備えている。
【００５６】
なお、弾性支持部６３は、図７に示すように、断面視において、接触端子部６３ａと基板７０とが離間するように配置するとともに、断面ハの字状の傾斜面６５を介して平面対面部６１と一体に形成している。この傾斜面６５は、十字ボタン４０を押下した際のクリック感をだすとともに、弾性による反発力により十字ボタン４０を出没可能にする機能を有している。
【００５７】
支持突部６４は、平面対面部６１上の略中央において、スイッチケース５０の突部挿入部５９に挿入可能な外周径を有する略円柱状に形成している。
【００５８】
また、基板７０は、各種電子部品を載置した基板本体７１、及び基板本体７１の底面側に備えたコネクタ７２で構成している。
【００５９】
基板本体７１は、平面視略円状の電子基板であって、押下部材６０の４つの接触端子部６３ａと対面する位置に、接触端子部６３ａが接触することで通電する被接触端子部７１ａを備えている。  
コネクタ７２は、略箱状の形状であって、パチンコ遊技機１０内部の制御機器などから引き出された配線（図示省略）と接続している。
【００６０】
また、基板取付部材８０は、図４及び図５に示すように、取付部材筒部８１、及び取付部材筒部８１の内部に形成した基板取付部８２で一体に構成している。
【００６１】
取付部材筒部８１は、図７に示すように、スイッチケース５０のケースネジ山部５７の内周径より小さく、かつ基板７０の基板本体７１を載置可能な外周径を有する略円筒状の形状に形成している。さらに、取付部材筒部８１の外周面には、スイッチケース５０の嵌合部５８と嵌合する２つの嵌合爪部８３を、径方向で対向する位置において外側に向けて形成している。
【００６２】
基板取付部８２は、取付部材筒部８１の軸方向に延びる平板で、基板７０のコネクタ７２の挿入を許容する平面視略矩形の開口を有する略井桁状の形状に形成している。
【００６３】
また、ナット９０は、スイッチケース５０のケースネジ山部５７と螺合可能な内周径を有する形状に形成している。なお、ナット９０の上面側平面には、略半円柱状の回り止めリブ９１を放射状に複数配置している。
【００６４】
このような構成のボタンカバー３０、十字ボタン４０、スイッチケース５０、押下部材６０、基板７０、及び基板取付部材８０をそれぞれ挿入あるいは嵌合して組付けることでスイッチ本体２１を構成している。そして、スイッチ本体２１は、下皿５の取付け孔に挿入して底面側からナット９０にて係止して下皿５に固定する。
【００６５】
具体的には、基板取付部材８０の基板取付部８２に、上面側から基板７０のコネクタ７２を挿入して組付ける。このとき、基板本体７１を、図７に示すように、取付部材筒部８１の上面側端部に載置するように組付ける。さらに、押下部材６０を、基板７０に上面側から被覆するように載置して組付ける。
【００６６】
そして、押下部材６０及び基板７０を組付けた基板取付部材８０をスイッチケース５０の底面側から挿入して組付ける。このとき、押下部材６０を、図７に示すように、弾性支持部６３がスイッチケース５０のガイド筒部５４に挿入できるように回転させて位置を合わせる。その後、基板取付部材８０の嵌合爪部８３が、付勢力によってスイッチケース５０の嵌合部５８にしっかりと嵌合するまで、基板取付部材８０をスイッチケース５０に挿入して組付ける。
【００６７】
また、十字ボタン４０を、図４に示すように、スイッチケース５０の上面側からガイド筒部５４に挿入して組付ける。この際、上ボタン４１、下ボタン４２、左ボタン４３、及び右ボタン４４の各ボタンを、それぞれの方向に応じた位置に合わせるとともに、ボタン軸部４１ｂ、４２ｂ、４３ｂ、及び４４ｂをガイド筒部５４に挿入して組付ける。
【００６８】
その後、ボタンカバー３０を、図４に示すように、スイッチケース５０の上面側から組付ける。この際、ボタンカバー３０の嵌合脚部３２を、図８に示すように、スイッチケース５０の挿入開口部５２に挿入して組付ける。そして、嵌合脚部３２のカバー嵌合開口部３２ａを、カバー嵌合爪部５６に外側から嵌め合わせるとともに、付勢力によってしっかりと嵌合させて組付ける。
【００６９】
このように各部材を組付けて構成したスイッチ本体２１を、図７に示すように、パチンコ遊技機１０の下皿５の取付け孔に上面側から挿入する。そして、スイッチ本体２１の底面側からスイッチケース５０のケースネジ山部５７にナット９０を螺合して、下皿５にスイッチ本体２１を固定する。
【００７０】
以上のような構成により、十字ボタンスイッチ２０は、プレイヤーによる悪戯行為に対してより堅固な構成とすることができる。
【００７１】
具体的には、基板取付部材８０に嵌合爪部８３を備え、スイッチケース５０に嵌合部５８を備えたことにより、スイッチケース５０に基板取付部材８０を挿入して嵌合固定することができる。これにより、十字ボタン４０の押下方向に加わる押下荷重に対して、嵌合爪部８３が嵌合部５８にしっかりと噛合って嵌合を維持することができる。つまり、押下荷重によって、基板取付部材８０がスイッチケース５０から容易に抜け落ちることを防止できる。
【００７２】
すなわち、基板取付部材８０とスイッチケース５０とを嵌合固定することにより、十字ボタン４０の押下方向にかかる押下荷重に対して、十字ボタンスイッチ２０は、ネジで組付けた場合に比べて、より破損あるいは分解し難い堅固な構造とすることができる。
【００７３】
また、基板７０は、基板取付部材８０の基板取付部８２に組付けることができる。そして、基板７０に載置した押下部材６０の弾性支持部６３をスイッチケース５０のガイド筒部５４に挿入することで、押下部材６０は、スイッチケース５０に対して適切な位置及び向きで組付けることができる。さらに、基板取付部材８０とスイッチケース５０とが嵌合することで、押下部材６０と基板７０とを適切な位置及び向きで組付けることができる。
【００７４】
すなわち、十字ボタンスイッチ２０に押下部材６０や基板７０を組付ける際、それぞれの取付け位置を決める位置決め孔のような特別な開口を設けることなく、適切な位置及び向きで組付けることができる。これにより、プレイヤーによる電気的な悪戯によって、十字ボタンスイッチ２０内に侵入した電気が、位置決め孔のような開口を介して直線的に基板に到達することを防止することができる。さらに、押下部材６０は、位置決め孔のような開口を設けていないので、押下に対する耐久性を向上させることができる。
【００７５】
従って、スイッチケース５０と基板取付部材８０とを嵌合固定するとともに、位置決め孔のような特別な開口を不要にしたことにより、十字ボタンスイッチ２０は、プレイヤーによる悪戯行為に対してより堅固な構造とすることができる。
【００７６】
また、十字ボタン４０及び押下部材６０の弾性支持部６３をガイド筒部５４に挿入したことにより、プレイヤーが十字ボタン４０を押下した際、十字ボタン４０は、スムーズに出没することができる。
【００７７】
さらに、押下部材６０の支持突部６４をスイッチケース５０の突部挿入部５９に挿入することにより、押下部材６０を支持することができる。これにより、プレイヤーが十字ボタン４０を押下した際、バランス変化によって押下部材６０の弾性支持部６３が倒れることを抑制できる。
【００７８】
加えて、基板取付部材８０をスイッチケース５０の内部に収容するように挿入して嵌合固定することにより、プレイヤーによる悪戯行為に対してより堅固な構造とするとともに、十字ボタンスイッチ２０の全長を抑えて薄型化することができる。
【００７９】
また、十字ボタン４０とボタンカバー３０との隙間に細い工具などを差し込まれた際、十字ボタン４０の鍔部４１ａから４４ａにより、工具の侵入を阻止することができる。これにより、十字ボタン４０に工具などを引っ掛けて十字ボタンスイッチ２０を破損させる、あるいは基板７０にアクセスして電気的な悪戯行為を行うことを防止できる。
【００８０】
また、十字ボタン４０に鍔部４１ａから４４ａを設けたことにより、十字ボタン４０は、スイッチケース５０の上面側からガイド筒部５４に挿入することとなる。すなわち、十字ボタン４０が押下されると、スイッチケース５０のガイド筒部５４に鍔部４１ａから４４ａが当接することで、十字ボタン４０が必要以上に押し込まれることを防止できる。
【００８１】
これにより、プレイヤーが十字ボタン４０に必要以上の押下荷重を加えても、押下荷重を十字ボタン４０からガイド筒部５４を介してスイッチケース５０に伝達、分散させることができる。
【００８２】
つまり、基板取付部材８０には押下荷重が加わり難くなるため、押下荷重による十字ボタンスイッチ２０の破損、分解を防止することができる。さらに、押下部材を介して基板７０に必要以上の押下荷重が加わることを阻止して、基板７０の破損などを防止することができる。
【００８３】
従って、十字ボタン４０に鍔部４１ａから４４ａを形成したことにより、工具などの侵入を阻止するとともに、押下荷重をスイッチケース５０に伝達、分散することできるので、十字ボタンスイッチ２０は、プレイヤーによる悪戯行為に対してより堅固な構造とすることができる。
【００８４】
また、スイッチケース５０のカバー嵌合爪部５６、及びカバー嵌合爪部５６に外側から嵌合するボタンカバー３０の嵌合脚部３２により、上面側からボタンカバー３０の取外しを困難にすることができる。
【００８５】
具体的には、上面側からボタンカバー３０を取外す場合、スイッチケース５０のケース平面部５１とボタンカバー３０との隙間から工具を挿入して嵌合を解除しながら、ボタンカバー３０を引抜くこととなる。
【００８６】
ところが、スイッチケース５０の外側に向けて形成したカバー嵌合爪部５６に、ボタンカバー３０の嵌合脚部３２を付勢力によって外側から嵌合したことにより、スイッチケース５０とボタンカバー３０との限られた隙間から、嵌合脚部３２を外側に開いて嵌合を解除しながら引抜くことを困難にすることができる。
【００８７】
従って、スイッチケース５０のカバー嵌合爪部５６に、ボタンカバー３０の嵌合脚部３２を付勢力によって外側から嵌合することにより、上面側からボタンカバー３０の取外しを困難にすることができ、十字ボタンスイッチ２０は、プレイヤーによる悪戯行為に対してより堅固な構造とすることができる。
【００８８】
また、対表面部３１を、平面視において外周縁に曲線部３１ｂを有する形状に形成し、嵌合脚部３２を、曲線部３１ｂに形成したことにより、上面側からボタンカバー３０の取外しをより困難にすることができる。
【００８９】
具体的には、嵌合脚部３２をボタンカバー３０の曲線部３１ｂに形成したことにより、ボタンカバー３０の直線部３１ａに嵌合脚部を形成した場合に比べて、嵌合脚部３２に対して工具などの引掛け代を小さく、かつ力を加え難くすることができる。すなわち、曲線部３１ｂに形成したボタンカバー３０の嵌合脚部３２にアクセスして嵌合を解除することを困難にできる。
【００９０】
従って、嵌合脚部３２を対表面部３１の曲線部３１ｂに形成することにより、嵌合脚部３２へのアクセスを困難にすることができ、十字ボタンスイッチ２０は、プレイヤーによる悪戯行為に対してより堅固な構造とすることができる。
【００９１】
また、スイッチケース５０と螺合するナット９０を備えたことにより、十字ボタンスイッチ２０を取付ける下皿５に対して、スイッチ本体２１をナット９０で固定することができる。さらに、スイッチケース５０及びナット９０のネジ山ピッチを広く確保して形成することができるので、十字ボタンスイッチ２０全体に押下荷重を加えても容易に破損することなく、十字ボタンスイッチ２０が筐体から容易に抜け落ちることを防止できる。
【００９２】
従って、ナット９０を備えたことにより、押下荷重に対して、下皿５への取付け強度の向上を図ることができ、十字ボタンスイッチ２０は、プレイヤーによる悪戯行為に対してより堅固な構造とすることができる。
【００９３】
また、十字ボタン４０と、基板７０と、押下部材６０とをスイッチケース５０に収容して組付けた十字ボタンスイッチ２０の組付け方法であって、基板７０を収容して保持するとともに、スイッチケース５０に嵌合する嵌合爪部８３を有する基板取付部材８０を備え、十字ボタン４０の出没をガイドするスイッチケース５０のガイド筒部５４に、押下部材６０及び十字ボタン４０を挿入するとともに、スイッチケース５０に形成した嵌合部５８に、基板取付部材８０の嵌合爪部８３を嵌合して組付けることにより、プレイヤーによる悪戯行為に対してより堅固な十字ボタンスイッチ２０の組付け方法とすることができる。
【００９４】
なお、本実施形態では、４方向の十字ボタン４０としたが、これに限定せず、用途に応じた適宜の数のボタンとしてもよい。例えば、上下もしくは左右の２方向ボタン、１つのボタン、あるいは２方向もしくは４方向ボタンと１つのボタンとを組み合わせた構成であってもよい。
【００９５】
また、押下部材６０は、弾性を有するとともに絶縁性を有するゴム系素材としたが、これに限定せず、弾性を有するとともに絶縁性を有する軟質樹脂素材などとしてもよい。
【００９６】
また、対表面部３１は、平面視略俵状に形成したが、これに限定せず、平面視において外周縁に曲線部３１ｂを有する形状であればよい。例えば、平面視において略円状の形状、あるいは略楕円状の形状などとしてもよい。
【００９７】
また、押下部材６０の接触端子部６３ａが基板７０の被接触端子部７１ａに接触することで通電する構成としたが、これに限定せず、押下部材６０と基板７０との接触構造は、適宜の構成としてもよい。
【００９８】
この発明の構成と、上述の実施形態との対応において、
この発明の押しボタンスイッチは、実施形態の十字ボタンスイッチ２０に対応し、
以下同様に、
押しボタンは、十字ボタン４０に対応し、
出没ガイド部は、ガイド筒部５４に対応し、
ナット部材は、ナット９０に対応するが、
この発明は、上述の実施形態の構成のみに限定されるものではなく、多くの実施の形態を得ることができる。
【産業上の利用可能性】
【００９９】
本発明は、遊技機だけでなく、選択あるいは決定操作を利用者に要求する様々な機器に対して利用することができる。
【符号の説明】
【０１００】
２０…十字ボタンスイッチ
３０…ボタンカバー
３１…対表面部
３２…嵌合脚部
３１ｂ…曲線部
４０…十字ボタン４０
４１ａ，４２ａ，４３ａ，４４ａ…鍔部
５０…スイッチケース
５４…ガイド筒部
５６…カバー嵌合爪部
５８…嵌合部
６０…押下部材
７０…基板
８０…基板取付部材
８３…嵌合爪部
９０…ナット
Ｘ…開口部
【図１】
0005672129.tif 000002
【図２】
0005672129.tif 000003
【図３】
0005672129.tif 000004
【図４】
0005672129.tif 000005
【図５】
0005672129.tif 000006
【図６】
0005672129.tif 000007
【図７】
0005672129.tif 000008
【図８】
0005672129.tif 000009